(57)【特許請求の範囲】
【請求項１】
浴槽の底壁に貫通状態に取り付けられたアダプタ本体を備え、前記アダプタ本体に設けられた吐出流路の一端の吐出口が浴槽内に開口されて、給湯機から供給された湯水が前記吐出流路に流入されて吐出口から浴槽内に吐出されるようにした給湯アダプタであって、
前記吐出流路の一端側が吐出流路用カバー部によって覆われてそのカバー部の外周側面に前記吐出口が形成されることにより、前記吐出口が上方へは開口されずに浴槽の底面に沿う方向に向けて開口され、
前記アダプタ本体に吸引流路が設けられるとともに、その吸引流路の一端の吸引口が浴槽内に開口されて、浴槽内の湯水が前記吸引口から前記吸引流路に吸引されて給湯機に戻るように構成され、
前記吸引流路の一端側が吸引流路用カバー部によって覆われてそのカバー部の外周側面に前記吸引口が形成されることにより、前記吸引口が上方へは開口されずに浴槽の底面に沿う方向に向けて開口され、
前記吐出口が一方側に向けて開口するとともに、前記吸引口が一方側とは反対の他方側に向けて開口し、
前記アダプタ本体に、浴槽内の湯水を排水する排水口が設けられるとともに、その排水口に開閉自在に排水栓が設けられ、
前記排水口を挟んで一方側に前記吐出口が設けられるとともに、他方側に前記吸引口が設けられ、
前記排水口の外周縁部における前記吐出流路用カバー部および前記吸引流路用カバー部間に、浴槽底面から前記排水口に通じる凹状の通水溝が形成され、
前記排水口の開口面が浴槽の底面に対し同じ高さにまたは低位に設定され、
前記通水溝の底面が浴槽の底面に対し同じ高さまたは低位に設定されていることを特徴とする浴槽の給湯アダプタ。
【発明の詳細な説明】
【技術分野】
【０００１】
この発明は、浴槽の底壁に貫通状態に取り付けられたアダプタ本体の吐出口から湯水が浴槽内に吐出されるようにした浴槽の給湯アダプタに関する。
【背景技術】
【０００２】
従来、浴槽の給湯アダプタ（循環アダプタ）から浴槽内に湯水を供給する湯はりや足し湯と、浴槽内の湯水を給湯アダプタから吸引して室外の給湯器で加熱した後、その加熱した湯水を上記給湯アダプタを介して浴槽内に戻す追焚（循環処理）とを行う浴槽の給湯システムが周知である。
【０００３】
さらに近年になって特許文献１，２に示すように、給湯アダプタが浴槽の底壁に組み付けられるとともに、その給湯アダプタに排水栓が一体に組み込まれた排水栓一体型給湯アダプタが提案されている。
【０００４】
この給湯アダプタは、浴槽の底面に設けられた排水口に開閉自在な排水栓が設けられるとともに、排水口近傍に吐出口および吸引口が形成されている。そして例えば、追焚時には排水栓によって排水口が閉じられた状態で、吸引口から浴槽内の湯水が吸引されて給湯機に戻される一方、給湯機から吐出された高温の湯水が吐出口から浴槽内に供給される。さらに排水時には排水栓が開放されて排水口から浴槽内の湯水が排出されるようになっている。
【先行技術文献】
【特許文献】
【０００５】
【特許文献１】特開２００１−１４９２４８号公報
【特許文献２】特開２００２−２６３０１９号公報
【発明の概要】
【発明が解決しようとする課題】
【０００６】
しかしながら、上記特許文献１，２に示す排水栓一体型給湯アダプタにおいては、吐出口および吸引口が浴槽底面において上方に向けて開口されているため、入浴中に足し湯や追焚を行った際に、入浴者の臀部や脚部によって吐出口や吸引口が閉塞される場合がある。そうすると、湯水の吸引や吐出がスムーズに行われず、足し湯や追焚が確実に行われず、入浴者にとって快適な入浴環境が得られないおそれがあるという課題があった。
【０００７】
この発明は、上記の課題に鑑みてなされたものであり、入浴者によって吐出口または吸引口が閉塞されることがなく、湯水の吐出や吸引をスムーズに行うことができる浴槽の給湯アダプタを提供することを目的とする。
【課題を解決するための手段】
【０００８】
上記課題を解決するため、本発明は、以下の手段を備えるものである。
【０００９】
［１］浴槽の底壁に貫通状態に取り付けられたアダプタ本体を備え、前記アダプタ本体に設けられた吐出流路の一端の吐出口が浴槽内に開口されて、給湯機から供給された湯水が前記吐出流路に流入されて吐出口から浴槽内に吐出されるようにした給湯アダプタであって、
前記吐出流路の一端側が吐出流路用カバー部によって覆われてそのカバー部の外周側面に前記吐出口が形成されることにより、前記吐出口が上方へは開口されずに浴槽の底面に沿う方向に向けて開口されていることを特徴とする浴槽の給湯アダプタ。
【００１０】
［２］前記アダプタ本体に吸引流路が設けられるとともに、その吸引流路の一端の吸引口が浴槽内に開口されて、浴槽内の湯水が前記吸引口から前記吸引流路に吸引されて給湯機に戻るように構成され、
前記吸引流路の一端側が吸引流路用カバー部によって覆われてそのカバー部の外周側面に前記吸引口が形成されることにより、前記吸引口が上方へは開口されずに浴槽の底面に沿う方向に向けて開口されている前項１に記載の浴槽の給湯アダプタ。
【００１１】
［３］前記吐出口が一方側に向けて開口するとともに、前記吸引口が一方側とは反対の他方側に向けて開口している前項２に記載の給湯アダプタ。
【００１２】
［４］前記アダプタ本体に、浴槽内の湯水を排水する排水口が設けられるとともに、その排水口に開閉自在に排水栓が設けられ、
前記排水口を挟んで一方側に前記吐出口が設けられるとともに、他方側に前記吸引口が設けられ、
前記排水口の外周縁部における前記吐出流路用カバー部および前記吸引流路用カバー部間に、浴槽底面から前記排水口に通じる凹状の通水溝が形成されている前項３に記載の浴槽の給湯アダプタ。
【００１３】
［５］前記排水口の開口面が浴槽の底面に対し同じ高さにまたは低位に設定されている前項４に記載の浴槽の給湯アダプタ。
【００１４】
［６］浴槽の底壁に貫通状態に取り付けられたアダプタ本体を備え、前記アダプタ本体に設けられた吐出流路の一端の吐出口が浴槽内に開口されて、給湯機から供給された湯水が前記吐出流路に流入されて吐出口から浴槽内に吐出される一方、前記アダプタ本体に設けられた吸引流路の一端の吸引口が浴槽内に開口されて、浴槽内の湯水が前記吸引口から前記吸引流路に吸引されて給湯機に戻るようにした給湯アダプタであって、
前記吸引流路の一端側が吸引流路用カバー部によって覆われてそのカバー部の外周側面に前記吸引口が形成されることにより、前記吸引口が上方へは開口されずに浴槽の底面に沿う方向に向けて開口されていることを特徴とする浴槽の給湯アダプタ。
【発明の効果】
【００１５】
発明［１］の浴槽の給湯アダプタによれば、吐出流路の一端側（浴槽内側）が吐出流路用カバー部によって覆われてそのカバー部の外周側面に吐出口が形成されることにより、吐出口が上側には開口されずに浴槽底面に沿う水平方向に向けて開口されているため、入浴者の殿部や脚部によって吐出口が閉塞されるようなことはなく、吐出口からの湯水の吐出をスムーズに行うことができる。
【００１６】
発明［２］の浴槽の給湯アダプタによれば、上記吐出口と同様、吸引口も浴槽底面に沿う水平方向に向けて開口されているため、入浴者の殿部や脚部によって吸引口が閉塞されるようなことはなく、吸引口への湯水の吸引をスムーズに行うことができる。
【００１７】
発明［３］の浴槽の給湯アダプタによれば、吐出口および吸引口が互いに反対方向に向けて開口しているため、吐出口から吐出された湯水が浴槽内を大きく循環して吸引口に吸引されるようになり、いわゆるショートカットの発生を防止でき、効率良く追焚等を行うことができる。
【００１８】
発明［４］の浴槽の給湯アダプタによれば、吐出流路用カバー部および吸引流路用カバー部間に浴槽壁面から排水口に通じる通水溝を形成しているため、浴槽内の湯水が少なくとも、その湯水を通水溝を介してスムーズに排水口に導くことができ、排出性を向上させることができる。
【００１９】
発明［５］の浴槽の給湯アダプタによれば、排水口の開口面を浴槽底面に対し同等または低位に設定しているため、湯水を浴槽底面から排水口により一層スムーズに導くことができ、排水性をより一層向上させることができる。
【００２０】
発明［６］の浴槽の給湯アダプタによれば、上記と同様に入浴者の殿部や脚部によって吸引口が閉塞されるようなことはなく、吸引口からの湯水の吸引をスムーズに行うことができる。
【図面の簡単な説明】
【００２１】
【図１】図１はこの発明の実施形態である排水栓一体型給湯アダプタが適用された浴槽の給湯システムを示す断面図である。
【図２Ａ】図２Ａは実施形態の給湯システムにおける給湯アダプタ周辺を一方向から見た断面図である。
【図２Ｂ】図２Ｂは実施形態の給湯システムにおける給湯アダプタ周辺を他方向から見た分解断面図である。
【図３Ａ】図３Ａは実施形態の給湯アダプタを一方向から見た斜視図である。
【図３Ｂ】図３Ｂは実施形態の給湯アダプタを他方向から見た斜視図である。
【図４】図４は実施形態の給湯アダプタを示す平面図である。
【発明を実施するための形態】
【００２２】
図１はこの発明の実施形態である排水栓一体型給湯アダプタＰが適用された浴槽の給湯システムを示す断面図、図２Ａ〜図４は給湯アダプタＰを示す図である。これらの図に示すようにこの給湯システムにおいては浴槽Ｂにおける底壁に貫通状態に排水栓一体型給湯アダプタＰが組み付けられている。なお以下の説明においては、発明の理解を容易にするため、図１の紙面に向かって右側を「前側」、左側を「後側」として説明する。
【００２３】
図１〜図４に示すように給湯アダプタＰは、アダプタ本体１と、排水栓５とを備えている。アダプタ本体１は排水管２を備えている。排水管２の上端（一端）には外側（水平方向）に突出するドーナッツ状のフランジ１１が一体に形成されている。本実施形態において、排水管２の一端開口（上端開口）、換言するとフランジ１１の中央孔が排水口２１として構成されている。排水管２の他端側（下端側）の開口（他端開口）２２は側方に向けて開口している。
【００２４】
フランジ１１の下面には、排水管２の外周を覆うようにして外周壁１２がフランジ１１に一体に形成されている。外周壁１２の外周面には雄ねじが刻設されている。
【００２５】
アダプタ本体１のフランジ１１における排水口２１を挟んだ前後両側には、フランジ１１の上方を覆うようにカバー部１５ａ，１５ｂが形成されている。両カバー部１５ａ，１５ｂのうち、前側が吐出流路用カバー部１５ａとして構成されるとともに、後側が吸引流路用カバー部１５ｂとして構成されている。各カバー部１５ａ，１５ｂは平面視で略円弧状に形成されており、各カバー部１５ａ，１５ｂの外周縁部は、フランジ１１の外周縁部に沿うように配置されている。さらに吐出流路用カバー部３ａおよび吸引流路用カバー部３ｂの各外周側面には、周方向に連続して延びる吐出口３１ａおよび吸引口３１ｂがそれぞれ形成されている。ここで本実施形態においては、吐出口３１ａは浴槽Ｂの底面に沿う方向（水平方向）であって、前方側（一方側）に向けて開口するとともに、吸引口３１ｂは浴槽Ｂの底面に沿う方向（水平方向）であって、後方側（他方側）に向けて開口している。つまり吐出口３１ａおよび吸引口３１ｂは互いに反対方向に向けて開口している。
【００２６】
また排水管２および外周壁１２間における前側には、上端側（一端側）がフランジ１１を貫通して吐出流路用カバー部１５ａの内部を通って上記吐出口３１ａに至る吐出流路３ａが形成されている。この吐出流路３ａの下端側（他端側）は、往き側接続管部３２ａにおいて下方に向けて開口している。さらに往き側接続管部３２ａにはＬ字状の往き側継手管３３ａが連結されている。
【００２７】
また排水管２および外周壁１２間における後側には、上記吐出流路３ａに対し独立して形成され、かつ上端側（一端側）がフランジ１１を貫通して吸引流路用カバー部１５ｂの内部を通って上記吸引口３１ｂに至る吸引流路３ｂが形成されている。この吸引流路３ｂの下端側（他端側）は、戻り側接続管部３２ｂにおいて下方に向けて開口している。さらに戻り側接続管部３２ｂにはＬ字状の戻り側継手管３３ｂが連結されている。
【００２８】
またアダプタ本体１のフランジ１１上における吐出流路用カバー部１５ａおよび吸引流路用カバー部１５ｂ間には、アダプタ本体１の排水口２１とアダプタ本体１の外側（浴槽底面）とを連通する凹溝状の通水溝１６が形成されている。
【００２９】
以上の構成のアダプタ本体１はその外周壁１２が浴槽底壁に形成された取付孔Ｈに挿入されることにより、フランジ１１が浴槽底面における取付孔Ｈの周縁部に設置された状態で、浴槽下面側から円環状の雌ねじ部材１９がアダプタ本体１の外周壁１２における雄ねじに締結される。こうして雌ねじ部材１９とアダプタ本体１のフランジ１１とによって浴槽底壁における取付孔Ｈの周縁部が挟圧保持されて、アダプタ本体１が浴槽底壁に貫通状態に組み付けられている。
【００３０】
なおアダプタ１１のフランジ１１と浴槽底壁との間には水密用のパッキン１９１が介在されるとともに、雌ねじ部材１９と浴槽底壁との間にも水密用のパッキン１９２が介在されている。
【００３１】
また本実施形態においては、浴槽底壁における取付孔Ｈの周縁部が凹陥形成されており、排水口２１の開口面（フランジ１１の上面に相当）が浴槽底面に対しほぼ同じ高さ位置に設定されている。さらにアダプタ本体１における通水溝１６の底面も浴槽底面に対しほぼ同じ高さ位置に設定されている。
【００３２】
アダプタ本体１の排水口２１に開閉自在に取り付けられる排水栓５は、ポップアップ式排水栓によって構成されている。すなわち排水栓５の下面中央にはワイヤー５１の一端が連結されるとともに、そのワイヤー５１をスライド自在に収容するチューブ５２が排水管２内を通って排水管２の下部から排水管周壁を貫通してアダプタ本体１の外部に引き出される。さらにそのチューブ５２内におけるワイヤー５１の他端側が例えば浴槽縁等に設けられた排水栓操作部（図示省略）に連結されている。ポップアップ式排水栓は手動式と自動式（電動式）とがあり、手動式の場合、排水栓操作部は押込／引出自在なノブ等を備え、そのノブを例えば押し込むことによって、ワイヤー５１を介して排水栓５が突き上げられて、図２Ａおよび図２Ｂの想像線に示すように排水口２１が開放される一方、ノブを例えば引き上げることによって、ワイヤー５１を介して排水栓５が下側に引き込まれて、図２Ａおよび図２Ｂの実線に示すように排水栓５によって排水口２１が水密状態に閉塞されるようになっている。また自動式（電動式）の場合、排水栓操作部は押しボタン等を備えており、排水栓５が閉じられた状態で上記押ボタンを押操作すると、ワイヤー５１が押し込まれて排水栓５が突き上げられて排水口２１が開放される一方、その開き状態から押ボタンを操作すると、ワイヤー５１が引き込まれて排水栓５が下側に引き込まれて排水口２１が閉塞されるようになっている。
【００３３】
アダプタＰにおけるアダプタ本体１の往き側接続管部３２ａ（往き側管継手３３ａ）は往き管９１ａを介して給湯機９の吐出口９ａに連通接続されるとともに、アダプタ本体１の戻り側接続管部３２ｂ（戻り側管継手３３ｂ）は戻り管９１ｂを介して給湯機９の吸引口９ｂに連通接続されている。
【００３４】
そして給湯機９の吐出口９ａから吐出された湯水は往き管９１ａを通ってアダプタＰの往き側接続管部３２ａに導入され、さらに吐出流路３ａを通って吐出口３１ａから浴槽Ｂ内に吐出されるようになっている。またアダプタＰの吸引口３１ｂから吸い込まれた浴槽Ｂ内の湯水は吸引流路３ｂを通って戻り側接続管部３２ｂから戻り管９ｂに導入され、戻り管９ｂを通って給湯機９内に吸引されるようになっている。
【００３５】
以上の構成の給湯システムにおいて湯はりを行う場合には、ダブル搬送方式が採用される。すなわち排水栓５が閉じられた状態で、給湯機９の吐出口９ａおよび吸引口９ｂから湯水が吐出され、その湯水が往き管９１ａおよび戻り管９１ｂを通って、給湯アダプタＰの吐出流路３ａおよび吸引流路３ｂを通って吐出口３１ａおよび吸引口３１ｂから浴槽Ｂ内に供給される。なお湯はりをシングル搬送で行う場合には、給湯機９の吐出口９ａから吐出された湯水が、往き管９１ａおよび給湯アダプタＰの吐出流路３ａを通って吐出口３１ａから浴槽Ｂ内に供給される。
【００３６】
浴槽Ｂ内に所定量の湯水が貯留された状態で追焚を行う場合には、給湯機９の吸引口９ｂが負圧に設定されることにより、浴槽Ｂ内の湯水がアダプタＰの吸引口３１ｂから吸い込まれて、吸引流路３ｂおよび戻り管９１ｂを介して給湯機９に戻される。こうして戻された湯水が給湯機９によって加熱されその加熱された湯水が吐出口９ａから吐出されて、往き管９１ａを介してアダプタＰの吐出流路３ａに導入されて吐出口３１ａから浴槽Ｂ内に吐出される。このように浴槽Ｂと給湯機９間で湯水が循環されて追焚が行われる。なお足し湯（差し湯）や足し水（差し水）の場合には、浴槽Ｂ内の湯水が給湯機９に戻されることなく、給湯機９から湯水が往き管９１ａおよび吐出流路３ａを介して吐出口３１ａから浴槽Ｂ内に供給されることとなる。
【００３７】
一方既述したように浴槽縁の排水栓操作部の操作によって排水栓５を開放すれば、浴槽Ｂ内に貯留された湯水が排水口２１を介して排出されるようになっている。
【００３８】
以上の給湯システムにおける排水栓一体型給湯アダプタＰによれば、吐出流路３ａおよび吸引流路３ｂの各一端側（各浴槽内側）が吐出流路用カバー部１５ａおよび吸引流路用カバー部１５ｂによって覆われてその各カバー部１５ａ，１５ｂの外周側面に吐出口３１ａおよび吸引口３１ｂが形成されているため、吐出口３１ａおよび吸引口３１ｂが上向きに開口されずに浴槽底面に沿う水平方向に向けて開口される。このため入浴者の殿部や脚部によって吐出口３ａおよび吸引口３１ｂが閉塞されるようなことはない。従って吐出口３１ａからの湯水の吐出や、吸引口３１ｂへの湯水の吸引をスムーズに行うことができるため、入浴中に追焚、足し湯、足し水を確実に行うことができ、快適な入浴環境を得ることができる。
【００３９】
さらに本実施形態の給湯システムによれば、アダプタＰの吐出口３１ａが浴槽底面に沿って前方に向けて開口されるとともに、吸引口３１ｂが浴槽壁面に沿って後方に向けて開口されているため、追焚時においてアダプタＰの吐出口３１ａから前方へ吐出された湯水は、浴槽前壁でＵターンして浴槽側壁に沿って後方へ流動していき、さらに浴槽後壁でＵターンして前方へ流動して吸引口３１ｂから吸い込まれるようになる。このように追焚時には浴槽内全域を大きく循環するような湯水の流れが発生するため、アダプタＰの吐出口３１ａから吐出された湯水が直接吸引口３１ｂから吸い込まれる、いわゆるショートカットの発生を防止でき、効率良く追焚を行うことができるとともに、浴槽内のお湯の温度制御も正確に行うことができる。
【００４０】
また本実施形態のアダプタＰによれば、外周部上面側における２つのカバー部１５ａ，１５ｂ間に浴槽壁面から排水口２１に通じる通水溝１６を形成しているため、浴槽Ｂ内の湯水は排水口２１から排出する際に残り湯が少なくなったとしても、その湯水は通水溝１６を通ってスムーズに排水口２１に導かれて排出される。このように水はけも良く少量の湯水が排出されずに残留してしまう等の不具合を確実に防止することができる。
【００４１】
特に本実施形態いおいては、排水口２１の開口面および通水溝１６の底面を浴槽底面に対し同じ高さ位置に設定しているため、良好な水はけをより確実に得ることができ、排水性を一層向上させることができる。
【００４２】
なお上記実施形態においては、アダプタ本体に排水栓が一体に組み込まれた排水栓一体型給湯アダプタを例に挙げて説明したがそれだけに限られず、本発明においては、排水口や排水栓を一体に備えていない給湯アダプタにも適用することができる。
【００４３】
また上記実施形態においては、吐出口および吸引口を共に浴槽底面に沿う水平方向に向けて開口するようにしているがそれだけに限られず、本発明においては、吐出口および排水口の少なくともいずれか一方の開口部が浴槽底面に沿う方向に開口するようにすれば良い。
【００４４】
さらに上記実施形態においては、浴槽および給湯機間に湯水を循環させる循環型の給湯アダプタを例に挙げて説明したがそれだけに限られず、本発明においては、給湯機から浴槽内に湯水を供給するだけの給湯アダプタにも適用することができる。
【００４５】
また上記実施形態においては、給湯アダプタＰの往き側接続管部３２ａ（往き側管継手３３ａ）および戻り側接続管部３２ｂ（戻り側管継手３３ｂ）に対し、給湯機９からの往き管９１ａおよび戻り管９１ｂの接続箇所が定められている、いわゆる有極性タイプの給湯アダプタＰに本発明を適用する場合を例に挙げて説明したが、それだけに限られず、本発明は、給湯アダプタの２つの接続管部に対して、給湯機からの往き管および戻り管のどちらを接続しても使用可能な、いわゆる無極性タイプの給湯アダプタに適用することもできる。
【００４６】
また上記実施形態においては、排水口２１の開口面および通水溝１６の底面を浴槽底面に対し同じ高さ位置に設定しているが、それだけに限られず、本発明においては、排水口２１の開口面および／または通水溝１６の底面を浴槽底面よりも低い位置に設定するようにしても良い。
【産業上の利用可能性】
【００４７】
この発明の浴槽の給湯アダプタは、例えば一般住宅等の浴槽に好適に適用することができる。
【符号の説明】
【００４８】
１：アダプタ本体
１５ａ：吐出流路用カバー部
１５ｂ：吸引流路用カバー部
１６：通水溝
２：排水管
２１：排水口
３ａ：吐出流路
３１ａ：吐出口
３ｂ：吸引流路
３１ｂ：吸引口
５：排水栓
９：給湯機
Ｂ：浴槽
Ｐ：排水栓一体型給湯アダプタ
【図１】
0006518499.tif 000002
【図２Ａ】
0006518499.tif 000003
【図２Ｂ】
0006518499.tif 000004
【図３Ａ】
0006518499.tif 000005
【図３Ｂ】
0006518499.tif 000006
【図４】
0006518499.tif 000007